【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
被検者から磁気共鳴データを取得する磁気共鳴イメージングシステムと、
複数の超音波素子の各々が、複数の周波数で超音波を生成するよう動作可能である、当該複数の超音波素子を含む超音波アレイを備えたカテーテルに接続する超音波システムであって、前記超音波アレイを駆動するよう動作可能である超音波システムと、
機械実行可能命令を保存するためのメモリと、
医療装置を制御するためのプロセッサであって、前記機械実行可能命令の実行が前記プロセッサに、
前記超音波システムによって少なくとも１つの音響放射インパルスを生成するように前記超音波システムを制御することであって、生成された超音波エネルギーは所定のレベルを下回ること、
少なくとも部分的な前記少なくとも１つの音響放射インパルスの前記生成中に、パルスシーケンスを用いて前記磁気共鳴イメージングシステムを制御することによって前記磁気共鳴データを取得することであって、前記パルスシーケンスは音響放射力イメージングパルスシーケンスであること、
前記磁気共鳴データを使用して少なくとも１つの音響放射力パルス画像を復元すること、並びに
少なくとも部分的に前記少なくとも１つの音響放射力パルス画像を用いて前記カテーテルのエネルギー堆積ゾーンを決定すること及び前記超音波素子の位相を制御することによって前記被検者内のターゲットゾーンに超音波エネルギーを堆積するように前記超音波アレイを正確にターゲットにすること又は指向させること、
を行わせるプロセッサと、
を含み、
前記超音波システムは、前記複数の周波数で超音波を生成するように前記超音波素子の各々を制御するよう動作可能であり、前記少なくとも１つの音響放射インパルスは、前記複数の周波数の少なくとも幾つかを使用して生成された超音波を有する複数のインパルスを含み、前記命令の実行は、前記プロセッサに、少なくとも部分的な前記複数のパルス中に取得された磁気共鳴データを使用して複数の音響放射力パルス画像を復元させ、前記機械実行可能命令の前記実行は、更に前記プロセッサに、前記被検者内のターゲットゾーンを説明する治療計画を受信させ、前記エネルギー堆積ゾーンは、少なくとも部分的に前記複数の放射力パルス画像を使用して更に決定され、前記命令の実行は、更に前記プロセッサに、周波数及び前記ターゲットゾーンの関数として前記エネルギー堆積ゾーンを使用して前記超音波素子の各々に関する超音波処理周波数を決定させる、医療装置。
【請求項２】
前記複数の超音波素子は、少なくとも１つの容量性微細加工超音波トランスデューサアレイを含む、請求項１に記載の医療装置。
【請求項３】
前記超音波システムは、前記少なくとも１つの容量性微細加工超音波トランスデューサの容量性素子に供給される電力の位相を制御することによって、前記少なくとも１つの容量性微細加工超音波トランスデューサアレイの焦点を調節するよう動作可能であり、前記機械実行可能命令の実行は、前記プロセッサに、前記エネルギー堆積ゾーンの位置を制御するように前記少なくとも１つの容量性微細加工超音波トランスデューサの容量性素子に供給される電力の位相を制御させる、請求項２に記載の医療装置。
【請求項４】
前記複数の超音波素子は、圧電トランスデューサを含む、請求項１乃至３のいずれか一項に記載の医療装置。
【請求項５】
前記超音波システムは、前記超音波アレイに供給される電力の位相を制御するよう動作可能であり、前記機械実行可能命令の実行は、更に前記プロセッサに、前記ターゲットゾーンと一致するように前記エネルギー堆積ゾーンの位置を変更するように複数の超音波トランスデューサ素子の位相を調節させる、請求項１乃至４のいずれか一項に記載の医療装置。
【請求項６】
前記命令の実行は、前記プロセッサに、前記エネルギー堆積ゾーンにおいて前記所定の閾値を超える超音波を生成するように前記超音波システムを制御させる、請求項１乃至５のいずれか一項に記載の医療装置。
【請求項７】
前記機械実行可能命令の実行は、更に前記プロセッサに、前記少なくとも１つの音響放射力パルス画像を用いてビーム路評価を行わせる、請求項１乃至６のいずれか一項に記載の医療装置。
【請求項８】
前記機械実行可能命令の実行は、更に前記プロセッサに、前記被検者における前記エネルギー堆積ゾーンと所定のボリュームとの間の距離を決定させる、請求項１乃至７のいずれか一項に記載の医療装置。
【請求項９】
前記医療装置は前記カテーテルを含む、請求項１乃至８のいずれか一項に記載の医療装置。
【請求項１０】
前記カテーテルは、経尿道カテーテル、間質カテーテル、及び食道カテーテルのうちのいずれか１つである、請求項９に記載の医療装置。
【請求項１１】
医療装置の作動方法であって、前記医療装置は、被検者から磁気共鳴データを取得するための磁気共鳴イメージングシステムを含み、前記医療装置は、複数の超音波素子の各々が、複数の周波数で超音波を生成するよう動作可能である、当該複数の超音波素子を含む超音波アレイを備えたカテーテルに接続する超音波システムであって、前記超音波アレイを駆動するよう動作可能である超音波システムを更に含み、前記方法は、
前記超音波システムによって少なくとも１つの音響放射インパルスを生成するように前記超音波システムを制御するステップであって、生成された超音波エネルギーは所定のレベルを下回る、ステップと、
少なくとも部分的な前記少なくとも１つの音響放射インパルスの前記生成中に、パルスシーケンスを用いて前記磁気共鳴イメージングシステムを制御することによって前記磁気共鳴データを取得するステップであって、前記パルスシーケンスは音響放射力イメージングパルスシーケンスである、ステップと、
前記磁気共鳴データを使用して少なくとも１つの音響放射力パルス画像を復元するステップと、
少なくとも部分的に前記少なくとも１つの音響放射力パルス画像を用いて前記カテーテルのエネルギー堆積ゾーンを決定するステップと、
前記複数の周波数で超音波を生成するように前記超音波素子の各々を制御するステップと、
前記複数の周波数の少なくとも幾つかを使用した超音波を有する複数のインパルスを生成するステップであって、前記命令の実行は、前記プロセッサに、少なくとも部分的な前記複数のパルス中に取得された磁気共鳴データを使用して複数の音響放射力パルス画像を復元させる、ステップと、
前記被検者内のターゲットゾーンを説明する治療計画を受信するステップであって、前記エネルギー堆積ゾーンは、少なくとも部分的に前記複数の放射力パルス画像を使用して更に決定される、ステップと、
周波数及び前記ターゲットゾーンの関数として前記エネルギー堆積ゾーンを使用して前記超音波素子の各々に関する超音波処理周波数を決定するステップと、
を含む、方法。
【請求項１２】
前記被検者における前記エネルギー堆積ゾーンと所定のボリュームとの間の距離を決定するステップを更に含む、請求項１１に記載の方法。
【請求項１３】
医療装置を制御するプロセッサによる実行のための機械実行可能命令を含むコンピュータプログラムであって、前記医療装置は、被検者から磁気共鳴データを取得するための磁気共鳴イメージングシステムを含み、前記医療装置は、複数の超音波素子の各々が、複数の周波数で超音波を生成するよう動作可能である、当該複数の超音波素子を含む超音波アレイを備えたカテーテルに接続する超音波システムであって、前記超音波アレイを駆動するよう動作可能である超音波システムを更に含み、前記機械実行可能命令の実行は、前記プロセッサに、
前記超音波システムによって少なくとも１つの音響放射インパルスを生成するように前記超音波システムを制御することであって、生成された超音波エネルギーは所定のレベルを下回ること、
少なくとも部分的な前記少なくとも１つの音響放射インパルスの前記生成中に、パルスシーケンスを用いて前記磁気共鳴イメージングシステムを制御することによって前記磁気共鳴データを取得することであって、前記パルスシーケンスは音響放射力イメージングパルスシーケンスであること、
前記磁気共鳴データを使用して少なくとも１つの音響放射力パルス画像を復元すること、
少なくとも部分的に前記少なくとも１つの音響放射力パルス画像を用いて前記カテーテルのエネルギー堆積ゾーンを決定すること、
前記複数の周波数で超音波を生成するように前記超音波素子の各々を制御すること、
前記複数の周波数の少なくとも幾つかを使用した超音波を有する複数のインパルスを生成することであって、前記命令の実行は、前記プロセッサに、少なくとも部分的な前記複数のパルス中に取得された磁気共鳴データを使用して複数の音響放射力パルス画像を復元させること、
前記被検者内のターゲットゾーンを説明する治療計画を受信することであって、前記エネルギー堆積ゾーンは、少なくとも部分的に前記複数の放射力パルス画像を使用して更に決定されること、並びに
周波数及び前記ターゲットゾーンの関数として前記エネルギー堆積ゾーンを使用して前記超音波素子の各々に関する超音波処理周波数を決定すること、
を行わせる、コンピュータプログラム。